(57)【要約】【課題】表示部における表示面積の広い狭いに影響されることなく緊急速報メールの内容を迅速に把握可能にする携帯電話機の提供。【解決手段】携帯電話機６が緊急速報メールの第１報を携帯電話機６に受信しても第１報を記憶せずかつ着信音や振動を動作させず、携帯電話機６が緊急速報メールの第２報のように詳細な内容を受信すると、携帯電話機６が受信した第２報をメールボックス１８に記憶しかつ表示情報記憶部１５に予め設定された簡易な様式の表示情報を表示情報記憶部１５から抽出して表示部８に表示することにより、携帯電話機６の利用者が表示部８の表示面積の広い狭いに影響されることなく緊急速報メールの内容を迅速に把握することができる。携帯電話機６が操作部７に対する利用者の操作を無効するキーロック中において、前記第２報の受信に伴い第２報の着信を知らせる着信音や振動を利用者の操作で停止することもできる。【選択図】図１
2018098626.tif 000002
【特許請求の範囲】
【請求項１】
表示部と緊急速報メールを受信する緊急制御部とを備えた携帯電話機において、前記緊急制御部が前記緊急速報メールの詳細な内容を受信した場合に予め設定された簡易な様式の表示情報を前記表示部に表示させることを特徴とする携帯電話機。
【請求項２】
表示部と、緊急速報メールを受信する緊急制御部と、前記携帯電話機の利用者からの操作に対応した入力信号を前記緊急制御部及び通信制御部に出力する操作部と、前記利用者からの操作に対応したキーロック設定信号を出力するキーロック操作部と、前記キーロック操作部からの前記キーロッ設定信号を受けて前記利用者による前記操作部に対する操作を無効するキーロック制御部とを備えた携帯電話機において、前記緊急制御部が前記緊急速報メールの詳細な内容を受信した場合に予め設定された簡易な様式の表示情報を前記表示部に表示させかつキーロック制御部によるキーロックの解除に無関係に前記操作部のうちの前記緊急速報メールの詳細な内容の着信を知らせる音又は振動の停止用操作部の操作を有効にすることを特徴とする携帯電話機。
【発明の詳細な説明】
【技術分野】
【０００１】
本発明は、緊急速報を報知する携帯電話機に関する。
【背景技術】
【０００２】
図６を用いて、特許文献１で開示された緊急速報システムについて説明する。図６に示した緊急地震速報システムにあっては、気象庁３００の緊急速報管理装置４００が、地震計１００から受信した地震や津波などの地震・津波情報、又は、気象観測装置２００から受信した気象情報に基づき緊急速報メールを作成し、前記作成した緊急速報メールを地震、津波などの影響を受ける対象地域の基地局５００から携帯電話機６００に一斉に配信する。この緊急速報メールを受信した携帯電話機６００は、表示部６０１に緊急速報メールの内容を可視可能に表示する。又、災害・避難情報などを入手した総務省、消防庁、地方公共団体は、災害・避難情報などの緊急速報メールを作成して災害、避難などの影響を受ける対象地域の基地局５００から携帯電話機６００に一斉に配信し、この緊急速報メールを受信した携帯電話機６００は、表示部６０１に緊急速報メールの内容を可視可能に表示する。
【０００３】
緊急速報メールは、図７のＡ図に示した災害の発生を知らせる第1報と、図７のＢ図に示した発生した災害の詳細を知らせる第２報とから構成されている。しかしながら、携帯電話機６の表示部６０１の表示面積が狭い場合は、第２報の内容の全部を１つの表示部６０１に一度に表示することができない場合があり、その場合、携帯電話機６００の利用者が表示画面をスクロールさせて第２報の内容の全部を把握する必要があり第２報の内容の全部を迅速に把握できないという欠点があった。或いは、第２報の内容の全部を表示面積の小さな１つの表示部６０１に一度に表示した場合には、表示される文字などが小さくなり、前記利用者が第２報の内容の全部を迅速に把握できないという欠点があった。
【先行技術文献】
【特許文献】
【０００４】
【特許文献１】特開２００９−９４８２６号公報
【発明の概要】
【発明が解決しようとする課題】
【０００５】
本発明は、上記背景技術に鑑みてなされたものであり、表示部における表示面積の広い狭いに影響されることなく、緊急速報メールの内容を迅速に把握可能にする携帯電話機の提供を目的とする。
【課題を解決するための手段】
【０００６】
本発明は、表示部と緊急速報メールを受信する緊急制御部とを備えた携帯電話機において、前記緊急制御部が前記緊急速報メールの詳細な内容を受信した場合に予め設定された簡易な様式の表示情報を前記表示部に表示させることを特徴とするか、又は、操作部の操作を無効とするキーロックを備え、緊急速報メールの詳細な内容を受信した場合に予め設定された簡易な様式の表示情報を前記表示部に表示させるとともに、前記操作部のうちの前記緊急速報メールの詳細な内容の着信を知らせる音又は振動の停止用操作部の操作を有効にするように前記キーロックの一部を解除することを特徴とする。
【発明の効果】
【０００７】
本発明によれば、表示部の表示面積の広い狭いに影響されることなく緊急速報メールの内容を迅速に把握することができる。キーロックが有効であっても緊急速報メールを受信したことを報知する着信音を停止することができる。又、本発明において、前記緊急速報メールの詳細な内容の着信を知らせる音又は振動の停止用操作部の操作を有効にするように前記キーロックの一部を解除すれば、携帯電話機の利用者が前記緊急速報メールの詳細な内容の着信を知らせる音又は振動を停止することができる。
【図面の簡単な説明】
【０００８】
【図１】発明を実施するための形態に係る緊急速報システムの概略図。
【図２】発明を実施するための形態に係る携帯電話機の表示部と表示情報記憶部との関係の概略図。
【図３】発明を実施するための形態に係る携帯電話機の緊急速報メールを受信した時の処理のフローチャート。
【図４】発明を実施するための別の形態に係る携帯電話機の概略図。
【図５】発明を実施するための別の形態に係る携帯電話機の緊急速報メールを受信した時の処理のフローチャート。
【図６】従来の緊急速報システムの概略図。
【図７】従来の携帯電話の表示部に表示された緊急速報メールの第１報及び第２報の概略図。
【発明を実施するための形態】
【０００９】
図１を用いて、発明を実施するための形態に係る携帯電話機６を使用した緊急速報システムについて説明する。図１における緊急速報システムにあって、気象庁３の緊急速報管理装置４が、地震計１から受信した地震や津波などの地震・津波情報、又は、気象観測装置２から受信した気象情報に基づき緊急速報メールを作成し、その作成された緊急速報メールを地震、津波などの影響を受ける対象地域の基地局５から携帯電話機６に一斉に配信すること、又、災害・避難情報などを入手した総務省、消防庁、地方公共団体が、災害・避難情報などの緊急速報メールを作成して災害、避難などの影響を受ける対象地域の基地局５から携帯電話機６に一斉に配信することは、従来と同じである。さらに、前記緊急速報メールが、災害の発生を知らせる第1報と災害の詳細を知らせる第２報とから構成されていることも従来と同じである。
【００１０】
これに対し、携帯電話機６が、緊急速報メールの詳細な内容を受信した場合に、表示情報記憶部１５に予め設定された簡易な様式の表示情報を表示部８に表示するようになっていることが新規である。前記緊急速報メールの詳細な内容を受信した場合とは、緊急速報メールが第１報と第２報都から構成されている場合には、携帯電話機６が第２報を受信した場合である。
【００１１】
具体的には、携帯電話機６は、操作部７、表示部８、振動部９、通信音源部１０、緊急音源部１１、スピーカ１２、通信制御部１３、緊急制御部１４、表示情報記憶部１５、緊急鳴動時間記憶部１６、マイク１７、メールボックス１８、電源部１９、発信先電話番号記憶部２０を備える。そして、通信制御部１３及び緊急制御部１４が電源部１９から供給された電力で起動して基地局５からの電波を受信することが可能になった状態において、通信制御部１３が基地局５から受信相手を特定することなく一斉に配信された緊急速報メールの第１報を受信したことを緊急制御部１４に通知しても、緊急制御部１４は第１報を携帯電話機６に設けられたメールボックス１８に記憶することなく破棄するとともに振動部９及び緊急音源部１１を制御しない。これにより、振動部９及び緊急音源部１１が動作しないので、携帯電話機６の利用者は緊急速報メールの第１報が携帯電話機６に配信されたことに気づかない。
【００１２】
次に、通信制御部１３が基地局５から受信相手を特定することなく一斉に配信された緊急速報メールの第２報を受信したことを緊急制御部１４に通知すると、緊急制御部１４が第２報をメールボックス１８に記憶しかつ表示情報記憶部１５に予め設定された簡易な様式の表示情報としての例えば「緊急地震速報  地震がきます」という表示情報を表示情報記憶部１５から抽出して表示部８に表示するとともに振動部９及び緊急音源部１１を制御する。これにより、振動部９が振動及び振動音を発生し、緊急音源部１１が緊急着信音を発生し、携帯電話機６の利用者が緊急速報メールの着信に気付いて表示部８に表示された表示情報を見ることで地震のくることを確認できる。又、携帯電話機６の利用者が第２報の詳細な情報を確認したいとき、前記利用者が携帯電話機６に設けられた操作部７を操作すると、緊急制御部１４がメールボックス１８から前記第２報を抽出し表示部８に表示させる。
【００１３】
このように、発明を実施するための形態に係る携帯電話機６は、緊急速報メールの詳細な内容を受信した場合に、表示情報記憶部１５に予め設定された簡易な様式の表示情報を表示部８に表示するようになっているので、携帯端末６の利用者が表示部８の表示面積の広い狭いに影響されることなく緊急速報メールの内容を迅速に把握することができる。
【００１４】
また、操作部７は、テンキーなどのキー又はボタン或いは表示部８に設けられたタッチパネルなどにより、携帯電話機６の利用者から操作に対応した入力信号を通信制御部１３及び緊急制御部１４に出力する、入力部を構成する。表示部８は、ディスプレイなどにより、通信制御部１３による制御で受信したデータ通信及び緊急制御部１４による制御で受信した緊急速報メールの内容を携帯電話機６の利用者に可視できるように表示する、出力部を構成する。振動部９は、バイブレータなどにより、通信制御部１３による制御で受信した音声データ及びデータ通信の着信並びに緊急制御部１４による制御で受信した緊急速報メールの着信を知らせる振動及び振動音で出力する、出力部を構成する。通信音源部１０には、通信制御部１３による制御で受信した音声データ及びデータ通信の着信を知らせる音源が予め設定されている。緊急音源部１１には、緊急制御部１４により制御で受信した緊急速報メールの着信を知らせる音源が予め設定されている。
【００１５】
スピーカ１２は、通信制御部１３による制御で通信音源部１０より抽出された音源に基づく着信音を出力し、緊急制御部１４の制御で緊急音源部１１より抽出された音源に基づく着信音を出力する、出力部を構成する。緊急鳴動時間記憶部１６には、緊急制御部１４により制御で受信した緊急速報メールの着信を知らせる振動部９及びスピーカ１２の鳴動時間が予め設定されている。マイク１７は、携帯電話機６の利用者の音声や携帯電話機６の周囲の音を通信制御部１３に入力する、入力部を構成する。尚、通信音源部１０又は緊急制御部１４への音源の設定は、携帯電話機６の製造過程又は携帯電話機６の利用者の操作部７への操作により行われる。また、緊急鳴動時間記憶部１６への鳴動時間の設定は、携帯電話機６の製造過程で行われるようになっているが、携帯電話機６の製造過程で設定されたものを携帯電話機６の利用者の操作部７への操作により変更できるようになっているか、又は、携帯電話機６の製造過程で設定することなく、携帯電話機６の利用者の操作部７への操作により行われるようになっていてもよい。
【００１６】
携帯電話機６は、緊急速報メールを受信しないときは、通常の音声通話並びにデータ通信を行うことが可能である。例えば、携帯電話機６の利用者が音声通話をする場合は、当該利用者が操作部７の発信ボタンを操作すると、操作部７が発信操作信号を通信制御部１３に出力し、通信制御部１３が発信先電話番号記憶部２０に予め設定された発信先電話番号を表示部８に表示させる。その状態において、携帯電話機６の利用者が操作部７の決定ボタンを操作すると、通信制御部１３が前記表示部８に表示された発信先電話番号に相当する発信先電話番号を通信制御部１３から基地局５を介して相手の電話機が在圏する通信網へ送信し相手の電話機と通信回線の接続を行う。前記発信先電話番号記憶部２０に複数個の発信先電話番号が予め設定されている場合には、例えば、携帯電話機６の利用者が発信ボタンを操作するごとに発信先電話番号記憶部２０に予め設定された複数個の発信先電話番号を１つずつ順繰りに表示部８に表示させる。携帯電話機６の利用者が発信を希望する発信先電話番号が表示部８に表示された状態において、携帯電話機６の利用者が操作部７の決定ボタンを操作すると、通信制御部１３が前記表示部８に表示された発信先電話番号に相当する発信先電話番号を通信制御部１３から基地局５を介して相手の電話機が在圏する通信網へ送信し相手の電話機と通信回線の接続を行う。前記発信先電話番号記憶部２０への発信先電話番号の設定は、携帯電話機６の所有者の操作部７への操作により行われる。そして、相手の電話機と通信回線が繋がると、スピーカ１２を介して相手の声を聴くことができ、マイク１７を介して携帯電話機６の利用者の声を相手の電話機に送信することができる。また、通信制御部１３が発信先電話番号記憶部２０に予め設定された発信先電話番号の相手からの電話番号による呼び出しを検出すると、振動部９及びスピーカ１２が鳴動し、表示部８に相手の電話番号が表示される。携帯電話機６の利用者が前記振動部９及びスピーカ１２の鳴動で音声通話を受信したことを認識するとともに表示部８に表示された電話番号で相手を確認しかつ操作部７の図示のされていないオフフックボタンを操作することで相手と音声通話をすることができる。
【００１７】
また、相手へメールを送信する場合は、携帯電話機６の利用者が操作部７を操作して本文を入力する。入力された本文は、表示部８に表示される。また、携帯電話機６の利用者が操作部７の発信ボタンを操作すると、通信制御部１３が発信先電話番号記憶部に予め設定された発信先電話番号を表示部８に表示する。そして、携帯電話機６の利用者が決定ボタンを操作すると、通信制御部１３が本文及び通信先電話番号を携帯基地局５から相手の電話機が在圏する通信網を経由して通信先電話番号に相当する相手の電話機へ送信する。
【００１８】
また、通信制御部１３が相手からのメールを受信したことを検出すると、受信したメールのメールアドレス、件名、本文などがメールボックス１８に記憶され、振動部９及びスピーカ１２が鳴動し、表示部８にメールを受信したことが表示される。携帯電話機６の利用者が前記振動部９及びとスピーカ１２の鳴動でメールの着信を受信したことを認識するとともに表示部８に表示されたメールを受信したことの表示を認識しかつ操作部７の図示のされていないメール表示ボタンを操作することで受信したメールの内容がメールボックス１８から抽出されて表示部８に表示してメール内容を確認することができる。
【００１９】
図２を用いて、発明を実施するための形態に係る携帯電話機６の表示部８、表示情報記憶部１５について説明する。表示情報記憶部１５には、地震、津波、災害・避難情報とそれぞれの情報の各種別に応じた別々の簡易な様式の表示情報とが、携帯電話機６の製造過程又は携帯電話機６の利用者の操作部７への操作により予め設定されている。例えば、地震に対する簡易な様式の表示情報として、「緊急地震速報  地震がきます」に限定されるものではないが、「緊急地震速報  地震がきます」が表示情報記憶部１５に予め設定されている場合において、携帯電話機６が緊急速報メールの詳細な内容を受信すると、表示部８に「各種の災害用アイコン」としての「緊急地震用アイコン」と「緊急地震速報  地震がきます」とが表示される。
【００２０】
図３を用いて、発明を実施するための形態に係る携帯電話機６が緊急速報メールを受信した時の処理について説明する。図３に示した処理では、携帯電話機６が緊急速報メールの第１報を記憶することなく破棄しかつ第１報に対する制御を実行しないので、緊急速報メールの第２報受信する場合から始まる。
【００２１】
図３に示した処理が始まり、ステップ３０１において、通信制御部１３（図１参照）が緊急速報メールの第２報を受信したかを判断する。ステップ３０１の判断がＮＯであれば、通信制御部１３が緊急速報メールの第２報を受信するまで待機する。また、ステップ３０１の判断がＹＥＳであれば、ステップ３０２に進む。ステップ３０２では、通信制御部１３が緊急速報メールの第２報を受信したので、緊急制御部１４が振動部９による振動及び振動音並びにスピーカ１２による着信音を緊急音源部１１に基づき鳴動させ、緊急制御部１４が携帯電話機６に設けられた図示のされていないカウンタによるカウントを開始させて鳴動の経過時間の経時を開始し、ステップ３０３に進む。
【００２２】
ステップ３０３では、緊急制御部１４が表示情報記憶部１５から簡易な様式の表示情報を抽出し、緊急制御部１４が抽出した表示情報を表示部８に表示し、ステップ３０４に進む。ステップ３０４では、緊急制御部１４が緊急速報メールの第２報をメールボックス１８に記憶し、ステップ３０５に進む。ステップ３０５では、緊急制御部１４が前記経時を開始した鳴動の経過時間を緊急鳴動時間記憶部１６に記憶されている設定時間と比較し、鳴動の経過時間が設定時間に到達したかしないかを判断する。ステップ３０５での判断がＮＯならば、ステップ３０５に戻り、ステップ３０５での判断がＹＥＳならば、ステップ３０６に進む。例えば、前記設定時間が1分間であれば、緊急音源部１１基づく鳴動が1分間続く。尚、ステップ３０２から３０４までの処理は、３０２から３０４の順序に限定されるものではなく、いずれが先でも後でも適用可能である。ステップ３０６では、緊急制御部１４の制御による緊急音源部１１に基づく鳴動が停止し、緊急制御部１４による処理が終了する。
【００２３】
図４を用いて、発明を実施するための別の形態に係る携帯電話機６について説明する。図４に示した携帯電話機６は、図１に示した携帯電話機６にキーロック操作部２１及びキーロック制御部２２を備え、携帯電話機６の利用者がキーロック操作部２１を操作すると、キーロック操作部２１が操作信号をキーロック制御部２２に出力し、この出力を受けたキーロック制御部２２が携帯電話機６の利用者による操作部７に対する操作を無効することで携帯電話機６がキーロックに設定された状態になる一方、携帯電話機６がキーロックされた状態において、携帯電話機６の利用者がキーロック操作部２１を再び操作し、キーロック操作部２１が操作信号をキーロック制御部２２に再び出力し、この再度の出力を受けたキーロック制御部２２が携帯電話機６の利用者による操作部７に対する操作を有効にすることで携帯電話機６がキーロックを解除した状態になる。
【００２４】
又、携帯電話機６がキーロックに設定された状態において、通信制御部１３が緊急速報メールの第２報を受信したことを緊急制御部１４に出力し、緊急制御部１４の制御が開始すると、緊急制御部１４がキーロック制御部２２によるキーロックの解除に無関係に前記操作部７のうちの緊急音源部１１に基づき鳴動させるスピーカ１２による着信音と振動部９による振動及び振動とに対する図示のされていない停止用操作部の操作を有効にすることで携帯電話機６がキーロックの一部を解除した状態になる。
【００２５】
図５を用いて、発明を実施するための別の形態に係る携帯電話機６が緊急速報メールを受信した時の処理について説明する。図５に示した処理では、携帯電話機６が緊急速報メールの第１報を記憶することなく破棄しかつ第１報に対する制御を実行しないので、緊急速報メールの第２報受信する場合から始まることは図３と同様であるが、携帯電話機６の利用者による操作部７に対する操作を無効とするキーロックが携帯電話機６に設定されている状態において緊急速報メールの第２報を受信することが図３と相違する。
【００２６】
図５の処理が始まり、ステップ５０１において、通信制御部１３が緊急速報メールの第２報を受信したかを判断する。ステップ５０１の判断がＮＯであれば、通信制御部１３が緊急速報メールの第２報を受信するまで待機する。また、ステップ５０１の判断がＹＥＳであれば、ステップ５０２に進む。ステップ５０２では、携帯電話機６のキーロックが掛かっている状態か判断する。キーロックが掛かっていなければ、ステップ５０２での判断がＮＯとなり、ステップ５０４に進む。また、キーロックが掛かっていれば、ステップ５０２での判断がＹＥＳとなり、ステップ５０３に進む。
【００２７】
ステップ５０３では、緊急制御部１４が操作部７のうちの緊急音源部１１に基づき鳴動させるスピーカ１２による着信音と振動部９による振動及び振動とに対する停止用操作部の操作を有効にすることで、前記携帯電話機６のキーロックを解除する。即ち、携帯電話機６が緊急速報メールを受信したときに、携帯電話機６にキーロックが掛かったままであると、携帯電話機６の利用者が緊急音源部１１に基づく振動及び振動音並びに着信音を停止できない。そのため、ステップ５０３で緊急制御部１４が携帯電話機６のキーロックを解除することにより、携帯電話機６の利用者が緊急音源部１１に基づく振動及び振動音並びに着信音を停止できるようなっている。
【００２８】
次に、ステップ５０３では、緊急制御部１４が振動部９による振動及び振動音並びにスピーカ１２による着信音を緊急音源部１１に基づき鳴動させ、緊急制御部１４が携帯電話機６に設けられた図示のされていないカウンタによるカウントを開始させて鳴動の経過時間の経時を開始し、ステップ５０５に進む。ステップ５０５では、緊急制御部１４が表示情報記憶部１５から簡易な様式の表示情報を抽出し、緊急制御部１４が抽出した表示情報を表示部８に表示し、ステップ５０６に進む。ステップ５０６では、緊急制御部１４が緊急速報メールの第２報をメールボックス１８に記憶し、ステップ５０７に進む。
【００２９】
ステップ５０７では、操作部７のうちの緊急音源部１１に基づく振動及び振動音並びに着信音の停止用操作部が操作されたかを判断する。ステップ５０７での判断がＮＯであれば、ステップ５０８に進み、ステップ５０７での判断がＹＥＳであれば、ステップ５０９に進む。尚、ステップ５０２から５０６までの処理は、５０２から５０６の順序に限定されるものではなく、いずれが先でも後でも適用可能である。
【００３０】
ステップ５０８では、緊急制御部１４が前記経時を開始した鳴動の経過時間を緊急鳴動時間記憶部１６に記憶されている設定時間と比較し、鳴動の経過時間が設定時間に到達したかしなかを判断する。ステップ５０８での判断がＮＯならば、ステップ５０７に戻り、ステップ５０７での判断がＹＥＳならば、ステップ５０９に進む。ステップ５０９では、緊急制御部１４の制御による緊急音源部１１に基づく鳴動が停止し、緊急制御部１４による処理が終了する。
【００３１】
なお、発明を実施するための形態に係る携帯電話機６の説明において、携帯電話機６が緊急速報メールの第２報を受信すると、当該第２報をメールボックス１８に記憶するようにしたが、本発明はこれに限るものではなく、携帯電話機６がメールボックス１８を備えるのではなく、緊急速報メールの第２報を図示のされないメールサーバに設けられるメールボックスに記憶し、携帯電話機６の利用者が緊急速報メールの第２報を確認したいときに前記メールサーバに設けられたメールボックスから緊急速報メールの第２報を受信して表示部８に表示させるようにしても良い。この場合、前記図示のされないメールサーバは、基地局５及び気象庁３と通信網を介して通信可能に接続されており、メールサーバが気象庁３からの緊急速報メールの第２報を受信すると、緊急速報メールの第２報を受信したことを基地局５を介して携帯電話機６に送信する。携帯電話機６は、メールサーバから緊急速報メールの第２報を受信すると、通信制御部１３が表示情報記憶部１５に予め設定された簡易な様式の表示情報としての例えば「緊急地震速報  地震がきます」という表示情報を表示情報記憶部１５から抽出して表示部８に表示するとともに振動部９及び緊急音源部１１を制御する。これにより、振動部９が振動及び振動音を発生し、緊急音源部１１が緊急着信音を発生し、携帯電話機６の利用者が緊急速報メールの着信に気付いて表示部８に表示された表示情報を見ることで地震のくることを確認できる。又、携帯電話機６の利用者が第２報の詳細な情報を確認したいときは、利用者が携帯電話機６に設けられた操作部７を操作して、前記メールサーバにアクセスして、通信制御部１３が前記メールサーバに設けられたメールボックスに記憶されている第２報を受信し表示部８に表示させる。これにより携帯電話機６の利用者は緊急速報メールの第２報を確認することができる。
【００３２】
このように、携帯電話機６に緊急速報メールの第２報を記憶するメールボックス１８を備える代わりに通信網に設置されるメールサーバに設けられるメールボックスに緊急速報メールの第２報を記憶することにより、緊急速報メールの第２報を記憶するメールボックス１８を備える必要がない分、携帯電話機６全体のデータの記憶容量を小さくすることができ、携帯電話機６を製造する際のコスト削減が可能となる。
【符号の説明】
【００３３】
１    地震計
２    気象観測装置
３    気象庁
４    緊急速報管理装置
５    基地局
６    携帯電話機
７    操作部
８    表示部
９    振動部
１０  通信音源部
１１  緊急音源部
１２  スピーカ
１３  通信制御部
１４  緊急制御部
１５  表示情報記憶部
１６  緊急鳴動時間記憶部
１７  マイク
１８  メールボックス
１９  電源部
【図１】
2018098626.tif 000003
【図２】
2018098626.tif 000004
【図３】
2018098626.tif 000005
【図４】
2018098626.tif 000006
【図５】
2018098626.tif 000007
【図６】
2018098626.tif 000008
【図７】
2018098626.tif 000009